(57)【要約】      （修正有）【課題】塗料缶から塗料を吐出することができ、且つ、複数の塗料缶を積み重ねることができる攪拌機能付き吐出保管装置を提供する。【解決手段】塗料缶の攪拌機能付き吐出保管装置１００であって、塗料缶の塗料を撹拌する撹拌部材１１と、撹拌部材を保持する保持部材１２と、保持部材を載置する台座部材１３とを有する、ことを特徴とする。【選択図】図１
0003200533.tif 000002
【実用新案登録請求の範囲】
【請求項１】
塗料缶の攪拌機能付き吐出保管装置であって、
前記塗料缶の塗料を撹拌する撹拌部材と、
前記撹拌部材を保持する保持部材と、
前記保持部材を載置する台座部材と
を有する、
ことを特徴とする塗料缶の攪拌機能付き吐出保管装置。
【請求項２】
前記保持部材は、円盤形状であり、前記塗料缶の開封時に該塗料缶の蓋として取り付ける、ことを特徴とする、請求項１に記載の塗料缶の攪拌機能付き吐出保管装置。
【請求項３】
前記台座部材は、前記塗料缶の側面を支持する支持部と、前記塗料缶の底面を保持する保持部と、複数の前記塗料缶を積み重ねたときに他の前記塗料缶の前記保持部材に配置する脚部と、を備える、ことを特徴とする、請求項１又は請求項２に記載の塗料缶の攪拌機能付き吐出保管装置。
【考案の詳細な説明】
【技術分野】
【０００１】
本考案は、塗料缶から塗料を吐出する攪拌機能付き吐出保管装置に関する。
【背景技術】
【０００２】
塗装業界では塗料缶用の吐出装置（例えばアジテーターカバー）を使用する場合がある。塗料缶用の吐出装置は、塗料缶の蓋のかわりに装着され、レバーを回転させることによって缶内部に延びたスクリューが回転し、缶内の分離した顔料と樹脂を撹拌する。また、塗料缶用の吐出装置は、撹拌した塗料を吐出する。これにより、作業者は、手を汚さずスピーディーに作業できる。また、塗料缶用の吐出装置は、塗料缶の蓋のかわりに装着され、使用時に蓋の開け閉めをしなくてよいので、缶内への空気の侵入を防止し、塗料の劣化を防止する。特許文献１では、塗料缶に係止するための改良手段を備えたカバー組立体として、管状円筒形側壁と、開口頂部と、該開口頂部の周りの外方に突出したリムと、を有し、該リムが、下方に面した環状面を有する、塗料缶のためのカバー組立体であって、塗料缶の開口頂部の上に位置するように寸法決めされ、且つ注ぎ口を有する蓋と、前記蓋を塗料缶に取り付けるための取付手段と、を有し、前記取付手段は、前記蓋が塗料缶の開口頂部に位置決めされるとき、リムの下方に面した環状面に自動的に係合する、間隔を隔てた少なくとも二つの弾性係止タブを有し、各係止タブは、前記蓋が塗料缶の開口頂部に位置決めされるとき、リムの下方に面した環状面に係合する平坦な当接面を有し、各係止タブは、前記蓋の上面より上に上方に突出する解除レバーを有する、カバー組立体に関する技術を開示している。
【先行技術文献】
【特許文献】
【０００３】
【特許文献１】特開２００５−９６８６７号公報
【考案の概要】
【考案が解決しようとする課題】
【０００４】
しかしながら、特許文献１に開示されている技術では、特殊なサイズの塗料缶（例えば、ピンストライプの塗料缶、約２３０ｍｌの塗料缶など）の場合に、取り付けできない場合がある。また、特許文献１には、複数の塗料缶を積み重ねて保管する技術に関する記載がない。
【０００５】
本考案は、塗料缶から塗料を吐出することができ、且つ、複数の塗料缶を積み重ねることができる攪拌機能付き吐出保管装置を提供することを目的とする。また、本考案は、塗料缶のサイズが異なる場合でも使用することができる汎用性の高い吐出保管装置を提供することを目的とする。
【課題を解決するための手段】
【０００６】
上記課題を解決するために、本考案の一つの実施形態は、塗料缶の攪拌機能付き吐出保管装置であって、前記塗料缶の塗料を撹拌する撹拌部材と、前記撹拌部材を保持する保持部材と、前記保持部材を載置する台座部材とを有する、ことを特徴とする塗料缶の攪拌機能付き吐出保管装置を提供する。
【０００７】
本考案の他の実施形態は、上記の塗料缶の攪拌機能付き吐出保管装置であって、前記保持部材は、円盤形状であり、前記塗料缶の開封時に該塗料缶の蓋として取り付ける、ことを特徴とする塗料缶の攪拌機能付き吐出保管装置であってもよい。
【０００８】
本考案の他の実施形態は、上記のいずれか１つの塗料缶の攪拌機能付き吐出保管装置であって、前記台座部材は、前記塗料缶の側面を支持する支持部と、前記塗料缶の底面を保持する保持部と、複数の前記塗料缶を積み重ねたときに他の前記塗料缶の前記保持部材に配置する脚部と、を備える、ことを特徴とする塗料缶の攪拌機能付き吐出保管装置であってもよい。
【考案の効果】
【０００９】
本考案に係る塗料缶の攪拌機能付き吐出保管装置によれば、塗料缶から塗料を吐出することができ、且つ、複数の塗料缶を積み重ねることができる。また、本考案に係る塗料缶の攪拌機能付き吐出保管装置によれば、塗料缶のサイズが異なる場合でも使用することができ、汎用性の高い装置を実現することができる。
【図面の簡単な説明】
【００１０】
【図１】本考案の実施形態に係る吐出保管装置の例を説明する説明図である。
【図２】本考案の実施形態に係る吐出保管装置の一例を示す平面図である。
【図３】本考案の実施形態に係る吐出保管装置の撹拌部材と保持部材の一例を説明する説明図である。
【図４】本考案の実施形態に係る吐出保管装置の台座部材の一例を説明する説明図である。
【図５】本考案の実施形態に係る吐出保管装置の使用時（複数を積み重ね時）の一例を説明する説明図である。
【図６】本考案の実施形態に係る吐出保管装置の一例を説明する組立図である。
【考案を実施するための形態】
【００１１】
実施形態に係る塗料缶の攪拌機能付き吐出保管装置（以下、「吐出保管装置」という。）の例を用いて、本考案を説明する。本考案は、以後に説明する吐出保管装置以外でも、塗料缶の塗料を排出（吐出、噴出、提供など）するもの（部品、部材、装置、アプリケーション、システム、商品、製品など）であれば、いずれのものにも用いることができる。なお、本考案に係る吐出保管装置は、使用する塗料の種類および量を限定されない。
【００１２】
以下の順序で、本考案を説明する。
１．吐出保管装置の構成
２．吐出保管装置の保管方法および組み立て方法
【００１３】
（１．吐出保管装置の構成）
図１乃至図４を用いて、本考案の実施形態に係る吐出保管装置の構成を説明する。ここで、図１は、本考案の実施形態に係る吐出保管装置１００の例を説明する説明図である。図２は、本考案の実施形態に係る吐出保管装置１００の一例を示す平面図である。図３は、本考案の実施形態に係る吐出保管装置１００の撹拌部材１１と保持部材１２の一例を説明する説明図である。図４は、本考案の実施形態に係る吐出保管装置１００の台座部材１３の一例を説明する説明図である。なお、図１等に示す吐出保管装置の構成等は一例であり、本考案は図１等に示す吐出保管装置等に限定されるものではない。
【００１４】
図１及び図２に示すように、本考案に係る吐出保管装置１００は、塗料缶内の塗料を攪拌し、且つ、撹拌した塗料を吐出するものである。図１及び図２に示すように、吐出保管装置１００は、本実施形態では、塗料缶の塗料を撹拌する撹拌部材１１と、撹拌部材１１を保持する保持部材１２と、保持部材１２を載置する台座部材１３と、塗料を吐出する吐出部材１４と、を有する。なお、吐出保管装置１００は、例えば保持部材１２（上部カバー後方）にシボを設け、そこに塗料を付着させ、内容物（塗料など）の種類を目視で識別しやすいようにしてもよい。これにより、吐出保管装置１００は、長年使用しても、シボの隙間に入った塗料が剥がれることなく、塗料缶の内容物を目視で確認することができる。
【００１５】
撹拌部材１１は、塗料缶内の塗料を撹拌するものである。図３に示すように、撹拌部材１１は、塗料を攪拌する撹拌フィン１１ｆと、撹拌フィン１１ｆと連結された回転レバー１１ｒとを備える。作業者は、回転レバー１１ｒを回転することによって、塗料缶内に配置された撹拌フィン１１ｆを回転する。これにより、作業者は、塗料缶内の塗料を撹拌することができる。
【００１６】
保持部材１２は、撹拌部材１１を保持するものである。図３に示すように、保持部材１２は、略円盤形状の部材１２ｃである。また、保持部材１２は、塗料缶の開封時に、略円盤形状の部材１２ｃを塗料缶の蓋として取り付ける。これにより、作業者は、円盤形状の部材１２ｃ（保持部材１２）を塗料缶の蓋として利用することができ、塗料の吐出時に蓋を開けることなく攪拌でき、周りを汚さず、素早く塗料を必要な量だけ缶から吐出することができる。このため、作業者は、本考案に係る吐出保管装置１００を用いて、塗装作業の効率を向上させることができる。なお、保持部材１２と塗料缶との気密性を高めるために、保持部材１２（円盤形状の部材１２ｃ）の表面にパッキンを更に配置してもよい。
【００１７】
台座部材１３は、保持部材１２を載置するものである。また、台座部材１３は、塗料缶を配置されるものである。台座部材１３は、図４に示すように、塗料缶の側面を支持する支持部１３ａと、塗料缶の底面を保持する保持部１３ｂと、複数の塗料缶を積み重ねたときに他の塗料缶の保持部材に配置する脚部１３ｃと、を備える。支持部１３ａは、保持部１３ｂの上面に配置された塗料缶の側面を支持するものである。支持部１３ａは、図４に示すように、３本の平板であってもよいし、２本以下又は４本以上であってもよい。また、支持部１３ａは、その上端で円盤形状の部材１２ｃ（保持部材１２）を固定する。これにより、吐出保管装置１００は、塗料缶の開封時に、円盤形状の部材１２ｃを塗料缶の蓋として利用することができる。保持部１３ｂは、塗料缶の底面を保持するものである。本考案に係る保持部１３ｂの形状は特に限定されない。脚部１３ｃは、吐出保管装置１００全体を支えるものである。また、脚部１３ｃは、複数の塗料缶を積み重ねたときに他の塗料缶の保持部材に配置する（後述する図５）。これにより、本考案に係る吐出保管装置１００によれば、複数の塗料缶をそれぞれ保持した吐出保管装置を積み重ねることができ、コンパクトに収納、収容することができる。
【００１８】
吐出部材１４は、塗料を吐出するものである。吐出部材１４は、図１に示すように、保持部材１２の上面に配置されている。なお、吐出部材１４の構造及び塗料を吐出する方法は、公知の技術を用いることができる。
【００１９】
本考案に係る撹拌部材１１、保持部材１２、台座部材１３及び吐出部材１４の材質は、特に限定されない。本考案に係る撹拌部材１１、保持部材１２、台座部材１３及び吐出部材１４は、例えばアルミ製若しくは合成樹脂の部材を用いてもよい。これにより、本考案に係る吐出保管装置１００は、低廉な価格で製造でき、軽量および小型化を実現することができる。なお、吐出保管装置１００（撹拌部材１１、保持部材１２、台座部材１３及び吐出部材１４）を製造する方法は、公知の技術を用いることができる。
【００２０】
（２．吐出保管装置の保管方法および組み立て方法）
図５及び図６用いて、本考案の実施形態に係る吐出保管装置が塗料缶を保管する方法および吐出保管装置の組み立て方法を説明する。ここで、図５は、本考案の実施形態に係る吐出保管装置１００の使用時（複数を積み重ね時）の一例を説明する説明図である。図６は、本考案の実施形態に係る吐出保管装置１００の一例を説明する組立図である。
【００２１】
図５に示すように、本考案では、複数の塗料缶Ｂｐ１，Ｂｐ２をそれぞれ保持した吐出保管装置１００を積み重ねることができ、コンパクトに収納、収容することができる。ここで、吐出保管装置１００が塗料缶Ｂｐ２を保持する方法を図６に示す。吐出保管装置１００は、蓋を取った塗料缶を台座部材１３（保持部１３ｂ）に配置される。次に、吐出保管装置１００は、塗料缶内に保持部材１２で保持（固定）された撹拌部材１１を挿入される。最後に、吐出保管装置１００は、台座部材１３（脚部１３ｃの上部先端）で保持部材１２（円盤形状の部材１２ｃ）を固定し、塗料缶を密封する。
【００２２】
以上のとおり、本考案に係る吐出保管装置１００によれば、塗料缶から塗料を吐出することができ、且つ、複数の塗料缶を積み重ねることができる。また、本考案に係る吐出保管装置１００によれば、塗料缶のサイズが異なる場合でも使用することができ、汎用性の高い装置を実現することができる。
【００２３】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２４】
１００  ：  塗料缶の攪拌機能付き吐出保管装置
１１  ：  撹拌部材
１１ｆ：  撹拌フィン
１１ｒ：  回転レバー
１２  ：  保持部材
１２ｃ：  円盤部（蓋部）
１３  ：  台座部材
１３ａ：  支持部
１３ｂ：  保持部
１３ｃ：  脚部
１４  ：  吐出部材
Ｂｐ１，Ｂｐ２：  塗料缶
【図１】
0003200533.tif 000003
【図２】
0003200533.tif 000004
【図３】
0003200533.tif 000005
【図４】
0003200533.tif 000006
【図５】
0003200533.tif 000007
【図６】
0003200533.tif 000008